(57)【要約】      （修正有）【課題】上下容器が地震等により水平方向にずれようとしても、必ず正しい位置に戻ると共に、さらに大きな力が作用しても、上側容器が落下しない角型密閉容器を提供する。【解決手段】容器本体３４と、容器本体の上に配置され蓋部材３６と、を備えた角型密閉容器３２において、容器本体の対向する２つの面の外周面３４ｂ，３４ｃの上方寄りの位置に第１掛受部材４６が設けられ、底面３４ａの下に、底面に沿って前後方向に伸びて配置された複数の桁材４４が設けられ、各第１掛受部材より下方寄りの位置の複数の桁材のいずれかに、第１掛受部材の正面４６ａと同一面に配置された正面４８ａを有する第２掛受部材４８が設けられ、蓋部材の上面３６ａに、上面に沿って伸びる持手部と、持手部の両端部から上面に向けて伸びる脚部５１ｂとを有する取手部材５０が取付けられ、取手部材と、桁材及び第２掛受部材との接触を介して、水平方向における上下容器の位置が、略同一に揃うようにした。【選択図】図４
0003214717.tif 000002
【実用新案登録請求の範囲】
【請求項１】
上端部に開口部が形成された角型箱形状の容器本体と、
前記容器本体の前記開口部の上に配置されて前記開口部を閉塞する蓋部材と、
を備えた角型密閉容器において、
前記容器本体の互いに対向する２つの面の外周面それぞれの上方寄りの位置には第１掛受部材が設けられ、
前記容器本体の底面の下に、この底面に沿って前記容器本体の前後方向に伸びるように配置された複数の桁材が設けられ、
前記２つの面の外周面それぞれの、前記第１掛受部材より下方寄りの位置の前記複数の桁材のいずれかに、前記第１掛受部材の正面と同一面に配置された正面を有する第２掛受部材が設けられ、
前記蓋部材の上面に、前記上面に沿って伸びる持手部と、前記持手部の両端部から前記蓋部材の上面に向けて伸びる脚部とを有する取手部材が取付けられ、
前記角型密閉容器と同一の他の角型密閉容器の上側に前記角型密閉容器を積み重ねる場合には、前記取手部材と、前記桁材及び前記第２掛受部材との接触を介して、水平方向における前記上側の角型密閉容器の位置と下側の前記角型密閉容器の位置が、略同一の位置に揃うようにした
ことを特徴とする角型密閉容器。
【請求項２】
前記角型密閉容器と同一の他の角型密閉容器の上側に前記角型密閉容器を積み重ねる際に、水平方向における前記上側の角型密閉容器の位置と、前記下側の角型密閉容器の位置がずれている場合には、
前記取手部材の前記脚部と前記桁材、又は／及び、前記取手部材の前記脚部と前記第２掛受部材が、いずれか一方に形成された傾斜部と、他方の非傾斜部が互いに接触して摺動することにより、
水平方向における前記上側の角型密閉容器の位置と、前記下側の角型密閉容器の位置が略同一の位置に揃えることができるように構成された
ことを特徴とする請求項１に記載の角型密閉容器。
【請求項３】
前記角型密閉容器と同一の他の角型密閉容器の上側に前記角型密閉容器を積み重ねた際に、
水平方向における前記上側の角型密閉容器の位置と、前記下側の角型密閉容器の位置が揃っている状態で、
一方の端部が前記上側の角型密閉容器の下方寄りの位置に設けられた前記第２掛受部材に取り付けられ、他方の端部が下側の前記角型密閉容器の上方寄りの位置に設けられた前記第１掛受部材に取り付けられる掛止部材を備えた
ことを特徴とする請求項１又は２のいずれかに記載の角型密閉容器。
【請求項４】
前記第１掛受部材には、上下に細長い長孔部及びこの長孔部の長さ方向途中に一端部が連続し他端部が外側に開放される分岐長孔部からなる第１掛受孔が形成され、
前記第２掛受部材には、上下に細長い長孔部及びこの長孔部の上端部に連続して形成され前記長孔部の幅寸法より大きい径寸法の円孔部からなる第２掛受孔が形成され、
前記掛止部材は、両端部に折曲部が形成され、それぞれの折曲部の長さ方向外側には折曲部より径寸法が大きい抜止部が一体的に設けられ、
前記掛止部材の一方の折曲部に設けられた抜止部が前記第２掛受部材に形成された前記第２掛受孔の長孔部に掛止されると共に
、前記掛止部材の他方の折曲部に設けられた抜止部が前記第１掛受部材に形成された前記第１掛受孔の長孔部に掛止されるように構成された
ことを特徴とする請求項３に記載の角型密閉容器。
【考案の詳細な説明】
【技術分野】
【０００１】
本考案は、その内部に形成される密閉空間に、例えば、低レベル放射性廃棄物のような危険物を収納する角型密閉容器に関するものである。
【背景技術】
【０００２】
低レベル放射性廃棄物のような危険物を内部に収納して、一定期間保管するための保管容器としては、そのような危険物を内部の密閉空間に収納すると共に、複数の保管容器を上下方向に積み重ねて設置することにより、保管容器を設置するスペースを増やさずに、危険物の保管量を増やすことができる、四隅部を有する直方体状の角型密閉容器が用いられていた（特許文献１参照）。
【０００３】
また、上下方向に積み重ねた角型密閉容器の、上の方の角型密閉容器が地震等により落下することを防止するために、上下方向に積み重ねた角型密閉容器同士を互いに連結する、連結構造を備えた角型密閉容器も用いられていた（特許文献２参照）。
【０００４】
図１２ないし図１７は、上記特許文献２に係る従来の角型密閉容器について説明するために、参照する図である。
【０００５】
従来の角型密閉容器２は、図１２及び図１５に示すように、その上端部が開口した箱状の容器本体４と、この容器本体４の上端部に載置してその開口部を閉塞する蓋部材６と、蓋部材６と容器本体４の上端部の周縁部を上下方向から挟み込んで、これらの部材を一体的に締結する４つの締結部材８から構成されていた。
【０００６】
従来の角型密閉容器２の容器本体４は、図１５に示すように、上端部が開口した角型箱形状に形成されていた。容器本体４の底面４ａには、図１２及び図１５に示すように、角型密閉容器２の脚部として、所定の長さを有し、長さ方向に対して垂直な断面が長方形に形成された複数の桁材１０，１２が、長さ方向を互いに交差させて配置され、これらは溶接等により容器本体４の底面４ａや、桁材１０，１２同士に一体的に固定されていた。
【０００７】
桁材１０は、図１４に示すように、その長さ部分が、容器本体４の底面４ａの図中上下方向に伸びるように４つ配置され、この４つの桁材１０が、底面４ａの図中左右方向に所定の間隔をおいて、互いに平行に並んで配置されていた。
【０００８】
また、桁材１２は、図１４に示すように、容器本体４の底面４ａに設けられた４つの桁材１０のうちの、図中右から２つ目と３つ目の桁材１０の間に３つ配置され、その長さ部分が容器本体４の底面４ａの図中左右方向に伸びて、その長さ方向を桁材１０の長さ方向と互いに交差するように配置されると共に、底面４ａの図中上下方向に所定の間隔をおいて、互いに平行に並んで配置されていた。
【０００９】
また、図１４に示すように、容器本体４の底面４ａに設けられた４つの桁材１０のうちの、図中右から１つ目と２つ目の桁材１０の間、及び３つ目と４つ目の桁材１０の間には、これらの隣り合う一対の桁材１０同士の間に、４つの補強リブ１４が配置され、補強リブ１４は溶接等により容器本体４の底面４ａや隣り合う桁材１０に一体的に固定されていた。
【００１０】
これらの補強リブ１４は、図１２に示すように、桁材１０に比べてその高さ方向（図中上下方向）の寸法が小さく形成されているため、補強リブ１４とその下方の地面Ｇとの間には大きな隙間が形成されていた。
【００１１】
また、図１２に示すように、容器本体４の前面４ｂには、その図中左右方向の略中央の位置で、かつ、図中上方寄りの位置に、図中左右方向の長さ方向に対して垂直な断面が略Ｃ字状に形成された（図１５参照）上側掛受部材１６が配置され、溶接等により容器本体４に一体的に固定されていた。
【００１２】
そして、図１２に示すように、容器本体４の底面４ａに設けられた４つの桁材１０のうちの、図中右から２つ目と３つ目の一対の桁材１０，１０の間には、図中左右方向の長さ方向に対して垂直な断面が略Ｃ字状に形成された（図１５参照）下側掛受部材１８が配置され、この下側掛受部材１８は溶接等により容器本体４や、桁材１０に一体的に固定されていた。
【００１３】
下側掛受部材１８は、図１５に示すように、容器本体４の前面４ｂ寄りの下側の位置に配置され、下側掛受部材１８の正面板部１８ａが上側掛受部材１６の正面板部１６ａと略同一平面上に位置するよう構成されていた。
【００１４】
そして、図１５に示すように、上記の上側掛受部材１６及び下側掛受部材１８と同じ部材の、上側掛受部材１６及び下側掛受部材１８が、容器本体４の前面４ｂと反対側の背面４ｃ側の、同様の位置にも設けられていた。
【００１５】
従来の角型密閉容器２の蓋部材６は、図１３及び図１５に示すように、その平面形状が容器本体４の開口部の形状と同一の略正方形に形成されていた。このような蓋部材６が、容器本体４の上に載置されることにより、蓋部材６が容器本体４の開口部を閉塞するように構成されていた。
【００１６】
そして、図１３に示すように、蓋部材６の上面の図中左右方向の略中央の位置で、かつ、それぞれ図中上下寄りの位置に、２つの取っ手２０，２０が、蓋部材６の上面の図中上下方向の略中央位置を通る中心線（図示せず）に対して対称となるように、所定の間隔をおいて配置され、この取っ手２０は溶接等により蓋部材６の上面に一体的に固定されていた。
【００１７】
そして、図１２及び図１３に示すように、長さ中央部で直角に折れ曲った４つの締結部材８が、容器本体４とその上に載置された蓋部材６の四隅部のそれぞれに、容器本体４の上端部と蓋部材６の周縁部を上下から挟み込むように配置され、ボルト２２とナット２４を用いてこれらの締結部材８をその長さ方向に締め付けることにより、角型密閉容器２の内部に密閉空間が形成されるようになっていた。
【００１８】
このような従来の角型密閉容器２は、その底面４ａに設けられた桁材１０の間の補強リブ１４とその下方の地面との間の隙間にフォークリフトのフォークを差込むことができるように構成されているため、フォークリフトを用いて角型密閉容器２を持ち上げて移動することができ、図１６に示すように、角型密閉容器２を他の同形の角型密閉容器３の上に積み重ねることができるようになっていた。
【００１９】
そして、図１６及び図１７に示すように、上下に積み重ねた角型密閉容器２，３の、上側の角型密閉容器２に設けられた下側掛受部材１８に形成された下側掛受孔１９（図１２参照）と、下側の角型密閉容器３に設けられた上側掛受部材１６に形成された上側掛受孔１７（図１２参照）に、掛止部材２６の両端部を掛止してこれらを連結することにより、上下方向に積み重ねた角型密閉容器２，３を互いに連結することができるように構成されていた。
【００２０】
そして、図１６及び図１７に示すように、上側の角型密閉容器２が下側の角型密閉容器３の上の正しい位置に積み重ねられた状態においては、角型密閉容器３の取っ手２０が、角型密閉容器２の底面４ａに設けられた桁材１０や桁材１２と接触しないように構成されていた。
【先行技術文献】
【特許文献】
【００２１】
【特許文献１】特開２０１２−２３６６２７号公報
【特許文献２】実用新案登録第３１７８８５５号公報
【考案の概要】
【考案が解決しようとする課題】
【００２２】
しかしながら、上述したような従来の角型密閉容器２は、上下に積み重ねた角型密閉容器２，３を互いに連結するためには、上に積み重ねる角型密閉容器２の下側掛受部材１８の正面板部１８ａと、下の角型密閉容器３の上側掛受部材１６の正面板部１６ａが、略同一平面状に位置するように、上に積み重ねる角型密閉容器２の水平方向の位置を、下の角型密閉容器３の位置に対して正確に合わせる必要があり、その位置決め作業に時間がかかってしまうという問題点があった。
【００２３】
また、従来の角型密閉容器２は、掛止部材２６を用いて上下に積み重ねた角型密閉容器２，３同士が連結することにより、地震等により上側の角型密閉容器２が落下することを防止できるが、この掛止部材２６を用いた連結には若干の遊びがあるため、地震等により水平方向の力が作用した場合に、上側の角型密閉容器２が水平方向に移動して、その位置が下側の角型密閉容器３の水平方向の位置に対してずれてしまうという問題点があった。
【００２４】
そして、上側の角型密閉容器２が下側の角型密閉容器３の位置に対して水平方向にずれた状態を長期間放置することは、上側の角型密閉容器２の落下や、それに伴う危険物等の内部からの漏えいを招くおそれがあるため、フォークリフト等を用いて角型密閉容器２の位置を直さなければならず、多数の角型密閉容器２が互いに隣接して設置されているような場合には、その位置を直す作業は膨大なものとなり、作業時間やコストが増大するという問題点があった。
【００２５】
そこで本考案は、上記問題点に鑑みて、上下に容器を積み重ねる場合に、上下の容器の互いの水平方向の正しい位置決めを容易に行うことができ、上下に積み重ねた容器が地震等により水平方向に互いにずれようとしても、必ず元の正しい位置に戻ることができると共に、地震等によりさらに大きな力が作用しても、上側の容器が落下することを防止することができる角型密閉容器を提供することを課題とするものである。
【課題を解決するための手段】
【００２６】
本考案による角型密閉容器は、上記課題を解決するために、
上端部に開口部が形成された角型箱形状の容器本体と、
前記容器本体の前記開口部の上に配置されて前記開口部を閉塞する蓋部材と、
を備えた角型密閉容器において、
前記容器本体の互いに対向する２つの面の外周面それぞれの上方寄りの位置には第１掛受部材が設けられ、
前記容器本体の底面の下に、この底面に沿って前記容器本体の前後方向に伸びるように配置された複数の桁材が設けられ、
前記２つの面の外周面それぞれの、前記第１掛受部材より下方寄りの位置の前記複数の桁材のいずれかに、前記第１掛受部材の正面と同一面に配置された正面を有する第２掛受部材が設けられ、
前記蓋部材の上面に、前記上面に沿って伸びる持手部と、前記持手部の両端部から前記蓋部材の上面に向けて伸びる脚部とを有する取手部材が取付けられ、
前記角型密閉容器と同一の他の角型密閉容器の上側に前記角型密閉容器を積み重ねる場合には、前記取手部材と、前記桁材及び前記第２掛受部材との接触を介して、水平方向における前記上側の角型密閉容器の位置と下側の前記角型密閉容器の位置が、略同一の位置に揃うようにした
ことを特徴とするものである。
【００２７】
また、本考案による角型密閉容器は、
前記角型密閉容器と同一の他の角型密閉容器の上側に前記角型密閉容器を積み重ねる際に、水平方向における前記上側の角型密閉容器の位置と、前記下側の角型密閉容器の位置がずれている場合には、
前記取手部材の前記脚部と前記桁材、又は／及び、前記取手部材の前記脚部と前記第２掛受部材が、いずれか一方に形成された傾斜部と、他方の非傾斜部が互いに接触して摺動することにより、
水平方向における前記上側の角型密閉容器の位置と、前記下側の角型密閉容器の位置が略同一の位置に揃えることができるように構成された
ことを特徴とするものである。
【００２８】
また、本考案による角型密閉容器は、
前記角型密閉容器と同一の他の角型密閉容器の上側に前記角型密閉容器を積み重ねた際に、
水平方向における前記上側の角型密閉容器の位置と、前記下側の角型密閉容器の位置が揃っている状態で、
一方の端部が前記上側の角型密閉容器の下方寄りの位置に設けられた前記第２掛受部材に取り付けられ、他方の端部が下側の前記角型密閉容器の上方寄りの位置に設けられた前記第１掛受部材に取り付けられる掛止部材を備えた
ことを特徴とするものである。
【００２９】
また、本考案による角型密閉容器は、
前記第１掛受部材には、上下に細長い長孔部及びこの長孔部の長さ方向途中に一端部が連続し他端部が外側に開放される分岐長孔部からなる第１掛受孔が形成され、
前記第２掛受部材には、上下に細長い長孔部及びこの長孔部の上端部に連続して形成され前記長孔部の幅寸法より大きい径寸法の円孔部からなる第２掛受孔が形成され、
前記掛止部材は、両端部に折曲部が形成され、それぞれの折曲部の長さ方向外側には折曲部より径寸法が大きい抜止部が一体的に設けられ、
前記掛止部材の一方の折曲部に設けられた抜止部が前記第２掛受部材に形成された前記第２掛受孔の長孔部に掛止されると共に
、前記掛止部材の他方の折曲部に設けられた抜止部が前記第１掛受部材に形成された前記第１掛受孔の長孔部に掛止されるように構成された
ことを特徴とするものである。
【考案の効果】
【００３０】
このような本考案による角型密閉容器によれば、
上端部に開口部が形成された角型箱形状の容器本体と、
前記容器本体の前記開口部の上に配置されて前記開口部を閉塞する蓋部材と、
を備えた角型密閉容器において、
前記容器本体の互いに対向する２つの面の外周面それぞれの上方寄りの位置には第１掛受部材が設けられ、
前記容器本体の底面の下に、この底面に沿って前記容器本体の前後方向に伸びるように配置された複数の桁材が設けられ、
前記２つの面の外周面それぞれの、前記第１掛受部材より下方寄りの位置の前記複数の桁材のいずれかに、前記第１掛受部材の正面と同一面に配置された正面を有する第２掛受部材が設けられ、
前記蓋部材の上面に、前記上面に沿って伸びる持手部と、前記持手部の両端部から前記蓋部材の上面に向けて伸びる脚部とを有する取手部材が取付けられ、
前記角型密閉容器と同一の他の角型密閉容器の上側に前記角型密閉容器を積み重ねる場合には、前記取手部材と、前記桁材及び前記第２掛受部材との接触を介して、水平方向における前記上側の角型密閉容器の位置と下側の前記角型密閉容器の位置が、略同一の位置に揃うようにしたことにより、
上下に容器を積み重ねる場合に、上下の容器の互いの水平方向の正しい位置決めを容易に行うことができ、上下に積み重ねた容器が地震等により水平方向に互いにずれようとしても、必ず元の正しい位置に戻ることができると共に、地震等によりさらに大きな力が作用しても、上側の容器が落下することを防止することができる。
【図面の簡単な説明】
【００３１】
【図１】本考案の一実施の形態に係る角型密閉容器３２の正面図である。
【図２】図１に示す角型密閉容器３２の平面図である。
【図３】角型密閉容器３２の底面図である。
【図４】角型密閉容器３２を示す図であり、図１のＡ−Ａ線矢視断面図である。
【図５】角型密閉容器３２の上側掛受部材４６を示す図であって、図５（ａ）はその正面図であり、図５（ｂ）は図５（ａ）におけるそのＢ−Ｂ線矢視断面図である。
【図６】角型密閉容器３２の下側掛受部材４８を示す図であって、図６（ａ）はその正面図であり、図６（ｂ）は図６（ａ）におけるそのＣ−Ｃ線矢視断面図である。
【図７】角型密閉容器３２の取っ手５０を示す図であって、図７（ａ）はその正面図であり、図７（ｂ）はその側面図であり、図７（ｃ）はその上面図である。
【図８】角型密閉容器３２を同形の角型密閉容器３３の上に積み重ねた状態を示す概略斜視図である。
【図９】角型密閉容器３２を連結する掛止部材５４を示す図であって、図９（ａ）はその側面図であり、図９（ｂ）はその背面図である。
【図１０】角型密閉容器３２，３３を積み重ねた状態における、桁材４４と取っ手５０の作用を説明するための図であり、図８のＤ−Ｄ線矢視断面図の取っ手５０周辺を拡大した拡大断面図であり、図１０（ａ）は角型密閉容器３２が角型密閉容器３３の上の水平方向の正しい位置に積み重ねられた状態、図１０（ｂ）は角型密閉容器３２が角型密閉容器３３に対して水平方向にずれた位置に積み重ねられようとした状態を示す図である。
【図１１】角型密閉容器３２，３３を積み重ねた状態における、下側掛受部材４８と取っ手５０の作用を説明するための図であり、図８のＥ−Ｅ線矢視断面図の取っ手５０周辺を拡大した拡大断面図であり、図１１（ａ）は角型密閉容器３２が角型密閉容器３３の上の水平方向の正しい位置に積み重ねられた状態、図１１（ｂ）は角型密閉容器３２が角型密閉容器３３に対して水平方向にずれた位置に積み重ねられようとした状態を示す図である。
【図１２】従来の角型密閉容器２の正面図である。
【図１３】図１２に示す角型密閉容器２の平面図である。
【図１４】角型密閉容器２の底面図である。
【図１５】角型密閉容器２を示す図であり、図１２のＦ−Ｆ線矢視断面図である。
【図１６】角型密閉容器２を同形の角型密閉容器３の上に積み重ねた状態を示す概略正面図である。
【図１７】角型密閉容器２を同形の角型密閉容器３の上に積み重ねた状態を示す図であり、図１６のＧ−Ｇ線矢視断面図である。
【考案を実施するための形態】
【００３２】
以下、本考案による角型密閉容器３２を実施するための形態について、図面に基づいて具体的に説明する。
【００３３】
図１ないし図７は、本考案の一実施の形態に係る角型密閉容器３２について説明するために、参照する図である。なお、図１２ないし図１７に示した従来の角型密閉容器２と同様の部分には、一部を除き同じ符号を付して説明するものとする。
【００３４】
角型密閉容器３２は、図１及び図４に示すように、その上端部が開口した箱状の容器本体３４と、この容器本体３４の上端部に載置してその開口部を閉塞する蓋部材３６から、主に構成されている。
【００３５】
角型密閉容器３２の容器本体３４は、図１ないし図４に示すように、上端部が開口し、四隅部が形成された直方体状の角型箱形状に形成されている。
【００３６】
容器本体３４の底面３４ａには、図１及び図３に示すように、所定の長さを有し、長さ方向に対して垂直な断面が長方形に形成された２つの桁材４０，４０が配置され、この桁材４０は溶接等により容器本体３４の底面３４ａに一体的に固定されている。
【００３７】
桁材４０は、図３に示すように、容器本体３４の底面３４ａの図中左右方向の両端部に配置され、その長さ方向が容器本体３４の底面３４ａの図中上下方向に伸びるように配置されている。
【００３８】
また、図３及び図４に示すように、所定の長さを有し、長さ方向に対して垂直な断面が四角に形成された５つの補強リブ４２が、容器本体３４の底面３４ａに設けられた２つの桁材４０，４０の間に、その長さ方向がこの桁材４０の長さ方向と交差して配置され、この補強リブ４２は溶接等により容器本体３４の底面３４ａや桁材４０に一体的に固定されている。
【００３９】
すなわち、補強リブ４２は、図３に示すように、その長さ部分が容器本体３４の底面３４ａの図中左右方向に伸びるように５つ配置され、この５つの補強リブ４２が、底面３４ａの図中上下方向に所定の間隔をおいて、互いに平行に並んで配置されている。
【００４０】
これらの補強リブ４２は、図１に示すように、桁材４０に比べてその高さ方向（図中上下方向）の寸法が小さく形成されているため、補強リブ３４とその下方の地面Ｇとの間には、大きな隙間が形成されている。
【００４１】
そして、図１及び図３に示すように、所定の長さを有し、長さ方向に対して垂直な断面が長方形に形成された２つの桁材４４が、容器本体３４の底面３４ａに設けられた５つの補強リブ４２のそれぞれの下面に接触して配置され、この桁材４４は溶接等により補強リブ４２に一体的に固定されている。
【００４２】
桁材４４は、図３に示すように、容器本体３４の底面３４ａに設けられた２つの桁材４０の間の位置に、その長さ部分が桁材４０に平行に伸びるように配置され、２つの桁材４４が、容器本体３４の底面３４ａの図中左右方向の中央位置を図中上下方向に通る中心線（図示せず）に対して略対称となるように、所定の間隔をおいて配置されている。
【００４３】
また、桁材４４は、図１に示すように、その下面が桁材４０の下面と同一平面上に位置するように構成され、これらの桁材４０，４４を脚部として、角型密閉容器３２を地面Ｇの上に安定して設置できるよう構成されている。
【００４４】
また、図１に示すように、容器本体３４の前面３４ｂには、その図中左右方向の略中央位置で、かつ、その図中上方寄りの位置に、図５に示すような上側掛受部材４６（第１掛受部材）が配置され、この上側掛受部材４６は溶接等により容器本体３４に一体的に固定されている。
【００４５】
上側掛受部材４６は、図５（ａ），（ｂ）に示すように、所定の長さを有する長方形の板状部材を折り曲げて形成されており、図５（ｂ）に示すように、その断面形状は略Ｃ字状に形成されている。
【００４６】
すなわち、上側掛受部材４６は、図５（ａ）に示すように、略長方形の正面板部４６ａと、この正面板部４６ａの図中上辺部及び下辺部のそれぞれから、図５（ｂ）に示すように、正面板部４６ａと直角方向に伸びる上板部４６ｂ及び下板部４６ｃと、上板部４６ｂと下板部４６ｃそれぞれの正面板部４６ａと反対側の先端部から、正面板部４６ａと平行方向に、かつ、互いに対向して接近する方向に伸びる先端板部４６ｄ，４６ｅから構成されている。
【００４７】
そして、上側掛受部材４６の正面板部４６ａには、図５（ａ）に示すように、上下方向に細長い長孔部４７ａと、長孔部４７ａの長さ方向の途中の位置から分岐して正面板部４６ａの図中右側の端部まで傾斜して伸びる分岐長孔部４７ｂが形成された上側掛受孔４７が、正面板部４６ａを板厚方向に貫通して形成されている。
【００４８】
このような上側掛受部材４６が、図４に示すように、その先端板部４６ｄ，４６ｅの外側面が容器本体３４の前面３４ｂに接触するように配置されて、上側掛受部材４６は溶接等により容器本体３４に一体的に固定されている。
【００４９】
また、図１に示すように、容器本体３４の底面３４ａに設けられた２つの桁材４４の間には、図６に示すような下側掛受部材４８（第２掛受部材）が配置され、この下側掛受部材４８は溶接等により容器本体３４に一体的に固定されている。
【００５０】
下側掛受部材４８は、図６（ａ），（ｂ）に示すように、所定の長さを有する長方形の板状部材を折り曲げて形成されており、図６（ｂ）に示すように、その断面形状は略Ｃ字状に形成されている。
【００５１】
すなわち、下側掛受部材４８は、図６（ａ）に示すように、略長方形の正面板部４８ａと、この正面板部４８ａの図中上辺部及び下辺部のそれぞれから、図６（ｂ）に示すように、正面板部４８ａと直角方向に伸びる上板部４８ｂ及び下板部４８ｃと、上板部４８ｂと下板部４８ｃそれぞれの正面板部４８ａと反対側の先端部から、正面板部４８ａと平行方向に、かつ、互いに対向して接近する方向に伸びる先端板部４８ｄ，４８ｅから構成されている。
【００５２】
そして、下側掛受部材４８の正面板部４８ａには、図６（ａ）に示すように、上下方向に細長い長孔部４９ａと、長孔部４９ａの長さ方向の上端部から連続して形成される、長孔部４９ａの長さ方向と直角な幅寸法より大きい径の円形の円孔部４９ｂから構成される下側掛受孔４９が、正面板部４８ａを板厚方向に貫通して形成されている。
【００５３】
このような下側掛受部材４８が、図１に示すように、その左右方向の両端部が２つの桁材４４のそれぞれに接触すると共に、図４に示すように、下側掛受部材４８の先端板部４８ｄが、容器本体３４の前面３４ｂ寄りの位置の補強リブ４２の側面に接触するように配置されて、この下側掛受部材４８は溶接等により容器本体３４に一体的に固定されている。
【００５４】
また、下側掛受部材４８は、図４に示すように、容器本体３４の前面３４ｂ寄りの位置の下側に配置され、この下側掛受部材４８の正面板部４８ａは、上側掛受部材４６の正面板部４６ａと略同一平面上に位置するように構成されている。
【００５５】
そして、図４に示すように、上記の上側掛受部材４６及び下側掛受部材４８と同じ部材の上側掛受部材４６及び下側掛受部材４８が、容器本体３４の前面３４ｂと反対側の背面３４ｃ側の、同様の位置にも設けられている。
【００５６】
角型密閉容器３２の蓋部材３６は、図２及び図４に示すように、その平面形状が容器本体３４の開口部の形状と略同一の正方形状に形成され、この蓋部材３６が容器本体３４の上端部の上に載置されることにより、容器本体３４の開口部を閉塞するように構成されている。
【００５７】
そして、図２に示すように、蓋部材３６の上面３６ａの図中左右方向の略中央の位置で、かつ、図中上下両端寄りの位置には、２つの取っ手５０，５０（取手部材）が、蓋部材３６の上面３６ａの図中上下方向の中央位置を図中左右方向に通る中心線（図示せず）に対して対称となる位置にそれぞれ配置されている。
【００５８】
取っ手５０は、図７に示すように、所定の長さを有する丸棒状の部材を、その長さ方向の途中の複数の位置で折り曲げて形成された取っ手部５１と、取っ手部５１を補強する補強板部５２から構成されている。
【００５９】
取っ手部５１は、図７（ａ）に示すように、図中左右方向に伸びる持手部５１ａと、持手部５１ａの両端部から斜め下方にそれぞれ伸びる２つの脚部５１ｂ，５１ｂと、図７（ｃ）に示すように、２つの脚部５１ｂ，５１ｂのそれぞれの下端部から持手部５１ａと直角方向、かつ、蓋部材３６の上面３６ａに沿って同一方向にそれぞれ伸びる、２つの接合部５１ｃ，５１ｃから構成されている。
【００６０】
取っ手部５１の２つの脚部５１ｂ，５１ｂは、図１に示すように、蓋部材３６の上面３６ａの図１中左右方向に対してそれぞれが略６０度ずつ傾斜した略ハの字状に形成されると共に（図７（ａ）参照）、図４に示すように、蓋部材３６の上面３６ａの図４中左右方向に対しても、上面３６ａの図４中左右方向の中央へ向けて、略６０度倒れるように傾斜して形成されている（図７（ｂ）参照）。
【００６１】
また、補強板部５２は、図７に示すように、持手部５１ａの長さ方向に所定の厚さを有する板状に形成され、その上端部が取っ手部５１の持手部５１ａの下側に接触すると共に、補強板部５２の下端部は取っ手部５１の接合部５１ｃの下側と平行に、即ち、蓋部材３６の上面３６ａに沿って伸びるように形成されている（図７（ｂ）参照）。
【００６２】
そして、図２及び図４に示すように、取っ手５０は、その取っ手部５１の接合部５１ｃ，５１ｃと補強板部５２の下端部が蓋部材の３６の上面３６ａにそれぞれ接触し、接合部５１ｃと補強板部５２の下端部は、溶接等により蓋部材３６に一体的に固定されている。
【００６３】
このような蓋部材３６が容器本体３４の上に載置され、スナップ錠やクランプ等の留め金（図示せず）を用いて、蓋部材３６が容器本体３４から外れないように固定されることにより、角型密閉容器３２の内部に密閉空間が形成されるようになっている。
【００６４】
このような角型密閉容器３２は、図１に示すその底面３４ａに設けられた桁材４０とそれと隣り合う桁材４４の間で、補強リブ４２とその下方の地面との間の隙間にフォークリフトのフォークを差込んで、角型密閉容器３２を持ち上げて移動することができるため、図８に示すように、角型密閉容器３２を、他の同形の角型密閉容器３３の上に積み重ねることができるようになっている。
【００６５】
そして、図８に示すように、上下に積み重ねられた角型密閉容器３２，３３は、図９に示すような掛止部材５４を用いて互いに連結可能に構成されている。
【００６６】
掛止部材５４は、図９（ａ）に示すように、図中左右方向に伸びる丸棒状の把持部５４ａと、把持部５４ａの両端部から、把持部５４ａと直角方向かつ同一方向に伸びる２つの折曲部５４ｂ，５４ｂと、２つの折曲部５４ｂ，５４ｂのそれぞれの先端部寄りの位置に設けられた円板状の抜止ワッシャ―５４ｃ，５４ｃ（抜止部）から構成されている。
【００６７】
掛止部材５４の折曲部５４ｂの径寸法は、図５（ａ）に示す、上側掛受部材４６の長孔部４７ａ、分岐長孔部４７ｂ、及び図６（ａ）に示す、下側掛受部材４８の長孔部４９ａの幅寸法より小さく形成されている。
【００６８】
また、掛止部材５４の抜止ワッシャ―５４ｃの外径寸法は、上側掛受部材４６の長孔部４７ａ、分岐長孔部４７ｂ、及び下側掛受部材４８の長孔部４９ａの幅寸法より大きく、かつ下側掛受部材４８の円孔部４９ｂの径寸法より小さく形成されている。
【００６９】
このような掛止部材５４の一方の折曲部５４ｂの抜止ワッシャ―５４ｃを、図８に示すような上下に積み重ねた角型密閉容器３２，３３の、上側の角型密閉容器３２の前面３４ｂの下側掛受部材４８の円孔部４９ｂからその内側に挿通させて、それからその掛止部材５４の折曲部５４ｂを下降させて、長孔部４９ａ側に移動して配置させる。
【００７０】
そして、この掛止部材５４の折曲部５４ｂの一方を軸にして、掛止部材５４の他方の折曲部５４ｂを回動させることにより、その他方の折曲部５４ｂを下側の角型密閉容器３３の上側掛受部材４６の、分岐長孔部４７ｂを通ってその長孔部４７ａに向かって移動させ、他方の折曲部５４ｂを長孔部４７ａへ配置させたら、一方の折曲部５４ｂが下側掛受部材４８の長孔部４９ａの下端に当接するか、又は他方の折曲部５４ｂが上側掛受部材４６の長孔部４７ａの下端に当接する迄、掛止部材５４を下降させる。
【００７１】
これにより、上下に積み重ねた角型密閉容器３２，３３の、上側の角型密閉容器３２の下側掛受部材４８と、下側の角型密閉容器３３の上側掛受部材４６が、掛止部材５４によって互いに連結される（図８参照）。
【００７２】
実際に角型密閉容器３２，３３を連結する場合は、掛止部材５４を２つ用いて、これらを積み重ねた角型密閉容器３２，３３の前面３４ｂ及び背面３４ｃの両側に設けられた上側掛受部材４６と下側掛受部材４８にそれぞれ取り付けることにより、上下に積み重ねた角型密閉容器３２，３３を前面３４ｂ及び背面３４ｃの両側で連結するように構成されている。
【００７３】
そして、図１０（ａ）に示すように、角型密閉容器３２が角型密閉容器３３の上の図中左右方向（図１における角型密閉容器３２の手前側と奥側を結ぶ前後方向と直角の、水平横方向）の正しい位置に積み重ねられた状態においては、角型密閉容器３３の取っ手５０が、角型密閉容器３２の底面３４ｂに設けられた桁材４４の間に配置されると共に、取っ手５０のそれぞれの脚部５１ｂの下端部が、桁材４４の近傍の位置に配置されるように構成されている。
【００７４】
このため、角型密閉容器３２を他の同形の角型密閉容器３３の上に積み重ねる途中において、図１０（ｂ）に示すように、角型密閉容器３２が角型密閉容器３３に対して図中左右方向にずれた位置に積み重ねられようとしても、取っ手５０の傾斜した脚部５１ｂの一方が桁材４４の一方の角部に接触し、桁材４４が脚部５１ｂの傾斜に沿って下方に移動することにより、角型密閉容器３２を角型密閉容器３３の上の図中左右方向の正しい位置に導くことができる。
【００７５】
また、図１１（ａ）に示すように、角型密閉容器３２が角型密閉容器３３の上の図中左右方向（図１における角型密閉容器３２の手前側と奥側を結ぶ前後方向）の正しい位置に積み重ねられた状態においては、角型密閉容器３３の一対の取っ手５０が、角型密閉容器３２の前面３４ｂ寄りの位置に設けられた下側掛受部材４８と、角型密閉容器３２の背面３４ｃ寄りの位置に設けられた下側掛受部材４８の間に配置された、一対の取っ手５０それぞれの脚部５１ｂの下端部が、上記一対の下側掛受部材４８それぞれの下端部の近傍の位置に配置されるように構成されている。
【００７６】
このため、角型密閉容器３２を他の同形の角型密閉容器３３の上に積み重ねる途中において、図１１（ｂ）に示すように、角型密閉容器３２が角型密閉容器３３に対して図中左右方向にずれた位置に積み重ねられようとしても、一対の取っ手５０の一方の、その傾斜した脚部５１ｂが、一対の下側掛受部材４８の一方の、下板部４８ｃと先端板部４８ｅの間の角部に接触し、下側掛受部材４８が脚部５１ｂの傾斜に沿って下方に移動することにより、角型密閉容器３３の上の角型密閉容器３２を、その前後方向の正しい位置に導くことができる。
【００７７】
また、取っ手５０に設けられた補強板部５２により、取っ手部５１の持手部５１ａが下方向から支持されるため、図１１（ｂ）に示すように、上に積み重ねる角型密閉容器３２の桁材４４や下側掛受部材４８が、下側の角型密閉容器３３の取っ手５０に接触しても、角型密閉容器３２の重さで取っ手５０が容易に変形してしまうことを防止することができる。
【００７８】
このように、本実施の形態に係る角型密閉容器３２においては、その取っ手５０と桁材４４及び下側掛受部材４８の構成により、角型密閉容器３２を角型密閉容器３３の上に積み重ねる場合の、その上の角型密閉容器３２の水平方向の位置決めを、その下の角型密閉容器３３の位置に対して容易に行うことができる。
【００７９】
そして、図８に示すような、積み重ねた状態の角型密閉容器３２，３３に対して、地震等により水平方向の力が加えられ、角型密閉容器３２が角型密閉容器３３に対して前後方向、またはそれと直角の左右横方向にずれようとする状態（図１０（ｂ）及び図１１（ｂ）参照）になったとしても、角型密閉容器３２の桁材４４及び下側掛受部材４８と角型密容器３３の取っ手５０が接触して、角型密閉容器３２が角型密閉容器３３の上の水平面上で、角型密閉容器の前後方向及びそれと直角の左右横方向の正しい位置に必ず戻るように構成されている。
【００８０】
そして、掛止部材５４を用いて上下に積み重ねた角型密閉容器３２，３３を互いに連結することにより、角型密閉容器３２，３３に対して、より大きな地震等の振動が作用したとしても、上に積み重ねた角型密閉容器３２が落下することを防止できるように構成されている。
【００８１】
したがって、このような本考案の一実施の形態に係る角型密閉容器３２によれば、上下に容器を積み重ねる場合に、上下の容器の互いの水平方向の正しい位置決めを容易に行うことができ、上下に積み重ねた容器が地震等により水平方向に互いにずれようとしても、必ず元の正しい位置に戻ることができると共に、地震等によりさらに大きな力が作用しても、上側の容器が落下することを防止することができる。
【００８２】
なお、本考案は、前記実施の形態のみに限定されるものではなく、本考案と同一の目的を達成することができるものであれば、種々の変更が可能である。
【００８３】
例えば、本実施の形態に係る角型密閉容器３２においては、容器本体３４の底面３４ａに、２つの桁材４４が設けられていたが、設ける桁材４４の数は、３つ以上であってもよい。
【００８４】
また、本実施の形態に係る角型密閉容器３２においては、容器本体３４の底面３４ａに、２つの桁材４０が設けられていたが、設ける桁材４０の数は、３つ以上であってもよく、また、角型密閉容器３２が地面Ｇや他の同形の角型密閉容器３２の上に、安定に設置可能であれば、桁材４０を設けられていなくてもよい。
【００８５】
また、本実施の形態に係る角型密閉容器３２においては、取っ手５０の脚部５１ｂは、蓋部材３６の上面３６ａに、角型密閉容器３２の前後方向と直角の水平横方向に対して略６０度傾斜して設けられているが、脚部５１ｂの傾斜は、５９度以下であってもよく、また６１度以上であってもよい。また、桁材４４が取っ手５０に沿って移動すればよいので、脚部５１ｂを略垂直に形成し、それに接触する桁材４４の側面を傾斜して形成してもよい。
【００８６】
また、本実施の形態に係る角型密閉容器３２においては、取っ手５０の脚部５１ｂは、蓋部材３６の上面３６ａに、角型密閉容器３２の前後方向に対して略６０度傾斜して設けられているが、脚部５１ｂの傾斜は、５９度以下であってもよく、また６１度以上であってもよい。また、下側掛受部材４８が取っ手５０に沿って移動すればよいので、脚部５１ｂを略垂直に形成し、それに接触する下側掛受部材４８の先端板部４８ｅを傾斜して形成してもよい。
【００８７】
また、本実施の形態に係る角型密閉容器３２においては、スナップ錠やクランプ等の留め金（図示せず）を用いて、蓋部材３６が容器本体３４から外れないように固定されることにより、角型密閉容器３２の内部に密閉空間を形成していたが、従来例の角型密閉容器２の締結部材８のような部材を用いて角型密閉容器３２の内部に密閉空間を形成するものであってもよく、或はその他の方法で角型密閉容器３２の内部に密閉空間を形成するものであってもよい。
【符号の説明】
【００８８】
２  角型密閉容器
３  角型密閉容器
４  容器本体
４ａ  底面
４ｂ  前面
４ｃ  背面
６  蓋部材
８  締結部材
１０  桁材
１２  桁材
１４  補強リブ
１６  上側掛受部材
１６ａ  正面板部
１７  上側掛受孔
１８  下側掛受部材
１８ａ  正面板部
１９  上側掛受孔
２０  取っ手
２２  ボルト
２４  ナット
２６  掛止部材
３２  角型密閉容器
３３  角型密閉容器
３４  容器本体
３４ａ  底面
３４ｂ  前面
３４ｃ  背面
３６  蓋部材
３６ａ  上面
４０  桁材
４２  補強リブ
４４  桁材
４６  上側掛受部材
４６ａ  正面板部
４６ｂ  上板部
４６ｃ  下板部
４６ｄ  先端板部
４６ｅ  先端板部
４７  上側掛受孔
４７ａ  長孔部
４７ｂ  分岐長孔部
４８  下側掛受部材
４８ａ  正面板部
４８ｂ  上板部
４８ｃ  下板部
４８ｄ  先端板部
４８ｅ  先端板部
４９  上側掛受孔
４９ａ  長穴部
４９ｂ  円孔部
５０  取っ手
５１  取っ手部
５１ａ  持手部
５１ｂ  脚部
５１ｃ  接合部
５２  補強板部
５４  掛止部材
５４ａ  把持部
５４ｂ  折曲部
５４ｃ  抜止ワッシャ―
【図１】
0003214717.tif 000003
【図２】
0003214717.tif 000004
【図３】
0003214717.tif 000005
【図４】
0003214717.tif 000006
【図５】
0003214717.tif 000007
【図６】
0003214717.tif 000008
【図７】
0003214717.tif 000009
【図８】
0003214717.tif 000010
【図９】
0003214717.tif 000011
【図１０】
0003214717.tif 000012
【図１１】
0003214717.tif 000013
【図１２】
0003214717.tif 000014
【図１３】
0003214717.tif 000015
【図１４】
0003214717.tif 000016
【図１５】
0003214717.tif 000017
【図１６】
0003214717.tif 000018
【図１７】
0003214717.tif 000019